(57)【要約】【課題】映像表示処理装置に内蔵されているメモリのスクリーンセーバデータを容易に安全に書き換えできるようにした。【解決手段】映像表示部１４と、スクリーンセーバデータとこれに付随したソフトウエアを格納し、そのデータ消去及び書き込み単位をブロック単位としている不揮発性メモリ５９と、メモリ接続端子６１にメモリカード１９が装着され、スクリーンセーバデータの処理が指定されたとき、画像データ読取部５６ｂ２がメモリカード１９からスクリーンセーバデータを読み取る。書き込み処理部５６ｂ３は、読み取ったスクリーンセーバデータをブロック単位で不揮発性メモリ５９に書き込む際、ソフトウエアが記述されていない書き込み開始ブロックの先頭から書き込みを開始する。【選択図】      図６
2007013688.tif 000002
【特許請求の範囲】
【請求項１】
映像信号を受信する受信部と、
前記受信部で受信した映像信号に所定の信号処理を施す信号処理部と、
前記信号処理部で所定の信号処理が施された映像信号を表示する映像表示部と、
スクリーンセーバデータとこのスクリーンセーバデータに付随したソフトウエアを格納しており、そのデータ消去及び書き込みが所定の最小ブロック単位毎で実行される不揮発性メモリと、
メモリ接続端子と、
前記メモリ接続端子にスクリーンセーバデータを格納したリムーバブルメモリが装着されたとき、装置操作用の画像を前記映像表示部に表示させるメニュー処理部と、
装置操作用の画像を介してスクリーンセーバデータの処理が指定されたとき、前記リムーバブルメモリから前記スクリーンセーバデータを読み取る画像データ読取部と、
読み取った前記スクリーンセーバデータを最小ブロック単位毎に前記不揮発性メモリに書き込む際、前記ソフトウエアが記述されていない書き込み開始ブロックの先頭から書き込みを開始する書き込み処理部と、
を有することを特徴とする映像表示処理装置。
【請求項２】
前記装置操作用画像としては、スクリーンセーバデータの「変更」、「追加」の少なくとも１つを選択するための操作用画像が表示されることを特徴とする請求項１記載の映像表示処理装置。
【請求項３】
上記の不揮発性メモリは、出荷時に格納されているソフトウエアの第１領域と、このソフトウエアにより制御を受けるスクリーンセーバデータの第２領域とを有し、第１の領域の最後の最小ブロックと、前記第２の領域の最初の最小ブロックとが異なるように各領域が確保されている請求項１記載の映像表示装置。
【請求項４】
映像信号を受信する受信部と、前記受信部で受信した映像信号に所定の信号処理を施す信号処理部と、前記信号処理部で所定の信号処理が施された映像信号を表示する映像表示部と、スクリーンセーバデータとこのスクリーンセーバデータに付随したソフトウエアを格納し、そのデータ消去及び書き込み単位をブロック単位としている不揮発性メモリと、メモリ接続端子とを有し、制御部により動作を統括しているスクリーンセーバデータ処理方法において、
前記メモリ接続端子にスクリーンセーバデータを格納したリムーバブルメモリが装着されたとき、装置操作用の画像を前記映像表示部に表示させ、
スクリーンセーバデータの処理が指定されたとき、前記リムーバブルメモリから前記スクリーンセーバデータを読み取り、
読み取った前記スクリーンセーバデータを最小ブロック単位毎に前記不揮発性メモリに書き込む際、ソフトウエアが記述されていない書き込み開始ブロックの先頭から書き込みを開始する、
ことを特徴とするスクリーンセーバデータ処理方法。
【請求項５】
前記スクリーンセーバデータの処理を行うための操作画像では、スクリーンセーバの「変更」、「追加」の少なくとも１つが表示される
ことを特徴とする請求項４記載のスクリーンセーバデータ処理方法。
【請求項６】
前記スクリーンセーバデータの処理を行うための操作で、
前記リムーバブルメモリに複数のファイルが格納されているとき、前記映像表示部に表示される操作用画像では、ファイルの選択メニューを表示する
ことを特徴とする請求項４記載のスクリーンセーバデータ処理方法。
【請求項７】
読み取った前記スクリーンセーバデータを最小ブロック単位毎に前記不揮発性メモリに書き込む際、このスクリーンセーバデータを、既存のスクリーンデータセーバに上書きすることを特徴とする請求項４記載のスクリーンセーバデータ処理方法。
【請求項８】
読み取った前記スクリーンセーバデータを最小ブロック単位毎に前記不揮発性メモリに書き込む際、このスクリーンセーバデータを、既存のスクリーンデータセーバとは別の領域に追加して書き込むことを特徴とする請求項４記載のスクリーンセーバデータ処理方法。
【請求項９】
前記リムーバブルメモリに背景画像データが格納されているとき、この背景画像データを読出し、前記不揮発性メモリに追加記録することを特徴とする請求項４記載のスクリーンセーバデータ処理方法。
【請求項１０】
スクリーンセーバデータとこのスクリーンセーバデータに付随したソフトウエアを格納しており、そのデータ消去及び書き込みが所定の最小ブロック単位毎で実行される不揮発性メモリと、
メモリ接続端子と、
前記メモリ接続端子にスクリーンセーバデータを格納したリムーバブルメモリが装着されたとき、装置操作用の画像を表示部に表示させるメニュー処理部と、
装置操作用の画像を介してスクリーンセーバデータの処理が指定されたとき、前記リムーバブルメモリから前記スクリーンセーバデータを読み取る画像データ読取部と、
読み取った前記スクリーンセーバデータを最小ブロック単位毎に前記不揮発性メモリに書き込む際、前記ソフトウエアが記述されていない書き込み開始ブロックの先頭から書き込みを開始する書き込み処理部と、
を有することを特徴とする情報記録再生装置。
【発明の詳細な説明】
【技術分野】
【０００１】
この発明は、映像表示装置及びそのスクリーンセーバデータ処理方法に関するもので、特にスクリーンセーバデータの書き換えが容易に得られるようにしたものである。
【背景技術】
【０００２】
一般にパーソナルコンピュータには、スクリーンセーバ機能が装備されている。一定時間、操作入力がない場合には、スクリーンセーバ機能が働き、画面上には一定の動画が繰り返し表示される。このスクリーンセーバデータは、繰り返し読み出しなどの表示形態を得るためのソフトウエアと、このソフトウエアにより処理される動画データを有する。
【０００３】
ディスク再生装置において、スクリーンセーバに関する技術として、再生された画像の中から望む画像を選択して、スクリーンセーバ画面として保存することができるようにした技術がある（例えば特許文献１）。また、光ディスク再生装置において，スクリーンセーバを使用者が自分で作成した映像に置換えられるようにした技術がある（例えば特許文献２）。さらにまたスクリーンセーバを自分で作成した映像に置き換える技術がある（特許文献３）。
【特許文献１】特開２００２−２４７５２８公報
【特許文献２】特開２００４−２１４７４９公報
【特許文献３】特開２００１−２８５８０４公報
【発明の開示】
【発明が解決しようとする課題】
【０００４】
従来であると、新たなスクリーンセーバデータを格納する記憶装置は、新たに用意されるタイプのものである。装置に対して、装置販売時に搭載されたメモリを活用するものではない。これは、装置販売時に搭載されているメモリは、通常はフラッシュメモリであり、そのデータ書替えが想定されていないメモリであるためである。
【０００５】
またスクリーンセーバの表示は、通常はパーソナルコンピュータにおいて行なわれるが、テレビジョン受信装置では行なわれていない。しかし最近では、デジタルカメラで撮影した静止画像を表示する機能がデジタルテレビジョン受信装置に搭載されるようになり、長時間されることもあり、スクリーンセーバの表示が要望される。しかし、既存の方式であると予め出荷時にメモリに保存されている常に一定の画像データであり融通性に劣るという問題もある。
【０００６】
そこで、この発明では、装置に内蔵されているメモリに格納されているスクリーンセーバデータを容易に、しかも安全に書き換えできるようにした映像表示装置及びそのスクリーンセーバデータ処理方法を提供することを目的とする。
【課題を解決するための手段】
【０００７】
この発明の映像表示処理装置の一実施の形態では、映像信号を受信する受信部と、前記受信部で受信した映像信号に所定の信号処理を施す信号処理部と、前記信号処理部で所定の信号処理が施された映像信号を表示する映像表示部と、スクリーンセーバデータと、このスクリーンセーバデータに付随したソフトウエアを格納し、そのデータ消去及び書き込み単位をブロック単位としている不揮発性メモリと、メモリ接続端子と、前記メモリ接続端子にスクリーンセーバデータを格納したリムーバブルメモリが装着されたとき、スクリーンセーバデータの処理を行うための操作用画像を前記映像表示部に表示させるメニュー処理部と、スクリーンセーバデータの処理が特定されたとき、前記リムーバブルメモリから前記スクリーンセーバデータを読み取る画像データ読取部と、読み取った前記スクリーンセーバデータをブロック単位で前記不揮発性メモリに書き込む際、ソフトウエアが記述されていない書き込み開始ブロックの先頭から書き込みを開始する書き込み処理部と、を有する。
【発明の効果】
【０００８】
上記の手段によると、不揮発性メモリのスクリーンセーバデータを安全に変更できるし、また追加することも可能となる。
【発明を実施するための最良の形態】
【０００９】
以下、図面を参照しながらこの発明の実施の形態を説明する。まずこの発明が適用されたデジタルテレビジョン放送受信装置１１の利用形態の例が図１に示されている。
【００１０】
図１に示すように、このデジタルテレビジョン放送受信装置１１は、電子カメラ１１Ａ或いはパーソナルコンピュータ１１Ｂにて記録されたメモリカード（リムーバブルメモリ）を挿入するスロットが設けられている。或いはメモリカードは、情報記録再生装置（例えばデジタルバーサタイルディスク（ＤＶＤ）装置）にも利用できる。
【００１１】
デジタルテレビジョン放送受信装置１１は、メモリカードを所定のスロットに装着すると、スクリーンセーバデータを当該メモリカードから取り込むことができるように構成されている。この動作及び機能の詳細についてはさらに後述することにする。
【００１２】
次に  図２には、上記のデジタルテレビジョン受信装置１１の概観を示している。ＡＶ−ＨＤＤ４１は、支持台１３内に内蔵されている。
【００１３】
図３は、この実施の形態で説明するデジタルテレビジョン放送受信装置１１の外観と、このデジタルテレビジョン放送受信装置１１を中心として構成されるネットワークシステムの一例を概略的に示している。
【００１４】
デジタルテレビジョン放送受信装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（Secure Digital）メモリカード、ＭＭＣ（Multimedia Card）及びメモリースティック等の第１のメモリカード１９が着脱可能となっており、この第１のメモリカード１９に対して番組や写真等の情報の記録再生が行なわれるようになっている。第１のメモリカード１９は例えばＳＤカード、スマートメディア、メモリースティックである。
【００１６】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１７】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１８】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００２０】
また、第２のＬＡＮ端子２２は、イーサネット（登録商標）を用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２４】
上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２５】
ここでｉ．Link端子２４に接続された、ＡＶ−ＨＤＤ４１は、図面ではデジタルテレビジョン放送受信装置１１の外に記載されているが、実際には支持台１３に内蔵されている。つまりＡＶ−ＨＤＤ４１は、デジタルテレビジョン放送受信装置１１と一体となっている。
【００２６】
図４は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２７】
チューナ４５で選局された放送信号は、ＰＳＫ（Phase Shift Keying）復調器４６に供給されて、デジタルの映像信号及び音声信号に復調された後、信号処理部４７に出力される。
【００２８】
また地上波アナログ信号を受信するアナログチューナ６８も設けられている。アナログチューナ６８で受信された信号は、アナログ復調器６９で復調され信号処理部４７に出力される。
【００２９】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００３０】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３１】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３２】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３３】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００３４】
上記音声処理部５３は、入力されたデジタルの音声信号を、スピーカ１５で再生可能なフォーマットのアナログ音声信号に変換し、スピーカ１５に出力して音声再生させる。
【００３５】
ここで、このデジタルテレビジョン放送受信装置１１は、上記した各種の受信動作を含むその全ての動作を制御部５６によって統括的に制御されている。
【００３６】
制御部５６は、ＣＰＵ（Central Processing Unit）等を内蔵している。操作部１６からの操作情報を受けたとき、または、リモートコントローラ１７から送出された操作情報が受光部１８を介して受信されたとき、制御部５６は、その操作内容が装置に反映されるように各部をそれぞれ統括して制御している。
【００３７】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３８】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３９】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００４０】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバー機能を有し、第１のＬＡＮ端子２１に接続されたＬＡＮ対応のＨＤＤ２５にＩＰ（Internet Protocol）アドレスを割り当てて制御している。
【００４１】
制御部５６は、通信Ｉ／Ｆ６５を介して第２のＬＡＮ端子２２に接続されている。これにより、制御部５６は、第２のＬＡＮ端子２２に接続された各機器（図３参照）と、通信Ｉ／Ｆ６５を介して情報伝送を行なうことができる。
【００４２】
制御部５６は、ＵＳＢ Ｉ／Ｆ６６を介してＵＳＢ端子２３に接続されている。これにより、制御部５６は、ＵＳＢ端子２３に接続された各機器（図３参照）と、ＵＳＢ Ｉ／Ｆ６６を介して情報伝送を行なうことができる。
【００４３】
上記制御部５６は、ｉ．Link Ｉ／Ｆ６７を介してｉ．Link端子２４に接続されている。これにより、制御部５６は、ｉ．Link端子２４に接続された各機器（図３参照）と、ｉ．LinkＩ／Ｆ６７を介して情報伝送を行なうことができる。
【００４４】
また、制御部５６には、操作入力処理部５６ａ、カードメディア検出部５６ｃ、クリーンセーバデータ処理部５６ｂ、録画制御部５６ｄを含む。これらの機能および動作に付いては後でさらに詳しく説明する（図６）。
【００４５】
図５は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。今すぐニュースキー１７ｐも設けられている。今すぐニュースキー１７ｐを押すと、グループ化して録画予約しているニュース番組の最新のものを視聴することができる。またちょっとタイムキー１７ｑ、スキップキー１７ｒも設けられている。このキーを押すと、例えばオンエアー放送中の番組視聴中に中座する場合、このキー１７ｑを押すと、一定時間の間は、その番組の録画を開始して一時保存を行うようになっている。そして、受信装置の場所にユーザーが戻ってきたとき、ちょっとタイムキー１７ｑを再度押すと、中座したときのシーンからの映像を再生させることができる。いわゆる追っかけ再生を行う。これによりユーザーは、視聴番組の内容を飛ばすことなく視聴できる。
【００４６】
図６は、この発明の特徴部を分かり易くするために示したブロック図である。制御部５６には、リモートコントローラ１７から入力される操作入力を判定し、操作に応じた動作を設定するための操作入力処理部５６ａが設けられている。さらに図１で説明したメモリカードが装着された場合、そのことを検出するカードメディア検出部５６ｃが設けられている。さらにまた、制御部５６は、カードメディアから取り込んだ、スクリーンセーバデータを処理するためのスクリーンセーバデータ処理部５６ｂを含む。このスクリーンセーバデータ処理部５６ｂの動作については後で詳しく説明する。
【００４７】
さらにまた制御部５６は、記録再生装置（例えばＨＤＤ２５或いは２７或いは４１）に対する録画制御部５６ｄを含む。この録画制御部５６ｄは、端子に接続されている複数の録画装置の登録部を有するとともに、各録画装置にて予約番組が録画された状況を管理している。
【００４８】
スクリーンセーバデータ処理部５６ｂは、次のようなブロックを含む。即ち、メモリ接続端子（ＢＭスロット６１）にスクリーンセーバデータを格納したメモリカード１９が装着されたとき、このことは、カードメディア検出部５６ｃにより検出される。その検出結果は、スクリーンセーバデータ処理部５６ｂに伝達される。すると、メニュー処理部５６ｂ１は、スクリーンセーバデータの処理を行うための操作用画像を前記映像表示部１４に表示させる。
【００４９】
ユーザーは、スクリーンセーバデータの処理を特定する。例えばスクリーンセーバの画像を変更したいのか、あるいは、さらに別の画像を追加したいのかをメニュー画面で設定することができる。この設定が行なわれると、画像データ読取部５６ｂ２が、メモリカード１９から指定されたスクリーンセーバデータを読み取る。
【００５０】
次に、書き込み処理部５６ｂ３は、読み取ったスクリーンセーバデータを最小ブロック単位で不揮発性メモリ５９に書き込む。つまり、最小ブロック単位で不揮発性メモリ５９にスクリーンセーバデータを書き込む際、アドレス生成部５６ｂ４により、書き込みアドレスが生成される。
【００５１】
この際、ソフトウエアが記述されていない書き込み開始ブロックの先頭から書き込みを開始する。仮にソフトウエアが途中まで記述されているブロックであると、ソフトウエアを消去してしまう、或いは、破壊してしまうので、正常なスクリーンセーバを出力することができなくなるからである。
【００５２】
さらにスクリーンセーバデータ処理部５６ｂにおいては、カードメモリ１９にスクリーンセーバデータの複数のファイルが存在した場合、そのファイルを認識するファイル認識部５６ｂ５も設けられている。スクリーンセーバデータ処理部５６ｂは、カードメモリ１９を認識した際、ファイル認識部５６ｂ５を介して、スクリーンセーバデータのファイルの数も検出することができる。これのときは、メニュー処理部５６ｂ１は、いずれのファイルを、スクリーンセーバデータとして取り込むのかをユーザーに選択させることができる。
【００５３】
図７には、上記の装置の動作例を示す一部のフローチャートを示している。目折カードが認識されると（ステップＳＡ１）、メモリカード処理に関するメニュー画面が表示される（ステップＳＡ２）。このメニュー画面では、単純にメモリカードの画像データを見る、スクリーンセーバデータの処理を行うなどの項目が表示される（ステップＳＡ３）。
【００５４】
スクリーンセーバデータの処理を行うことが決定された場合は、ステップＳＡ５において、例えば項目として「変更」が選択されているのかどうかの判定が行われる。「変更」が選択されていた場合には、メモリカードから動画像データを読み取る（ステップＳＡ６）。
【００５５】
そして、不揮発性メモリ５９に対して、動画像データ（つまりスクリーンセーバデータ）の書き込み処理を行う。この場合、ソフトウエアが記述されていない書き込み開始ブロックの先頭から書き込みを開始される（ステップＳＡ７）。そして画像データの書き込み処理が終了したかどうかの判定が行なわれ（ステップＳＡ８）、終了している場合は、ステップＳＡ９に移行して、スクリーンセーバの表示に関する設定情報の受付メニューが表示される。設定情報としては、メモリ１９に格納されているスクリーンセーバーファイルの選択、操作が途切れた後からスクリーンセーバの表示開始までの時間設定などである。ステップＳＡ９で「省略」の項目が選択された場合、或いは一定時間入力が無い場合には、デフォルトの設定が行なわれる。そして、最後に「画像データの書き込み終了」というようなコメントが表示されて処理が終了する。スクリーンセーバデータの変更、追加、は、途中で取り消すことも可能である（ステップＳＡ１１，ＳＡ１２）。
【００５６】
図８には、上記した不揮発性メモリ５９のデータ格納領域の一例を示している。上記したように消去単位である最小ブロック単位（点線ではさむ領域）を単位としてデータの書き込みが行なわれる。そして、異なる種類のデータ（ソフトウエアと画像データ（スクリーンセーバデータ）とが同じ最小ブロックに存在しないように、その書き込みアドレスが制御される。
【００５７】
上記したように、一般的に不揮発性メモリ５９（フラッシュＲＯＭ）は、書き込んである内容を消去できるが、消去する場合には全体を消去するか、デバイスによっては図中の水平方向の点線で分けられた様なブロック単位で消去することができる。
【００５８】
起動時には、ソフトウエア（ＢＭプログラム）がフラッシュメモリ５９からＲＡＭ５８にロードされ、実際のプログラムはＲＡＭ５８上で動いている場合、フラッシュメモリ全体を消去して新しい内容に書き換える事は可能であるが、ユーザーが書き換えに失敗した場合、再び電源を入れても、フラッシュメモリ内に書き込んだプログラムが不完全なため、立ち上げ不能に陥ってしまう可能性がある。
【００５９】
この様に、スクリーンセーバのデータを変更したり追加したりするためにフラッシュメモリ全体を消去するやり方なら、ＢＭプログラムとスクリーンセーバデータの配置や境い目がどこにあっても技術的には書き換え可能だが、この方法で書き換えをする場合には、書き換えに失敗した場合に、収拾がつかない状態になってしまうという問題がある。
【００６０】
しかし、本発明の装置及び方法によると、ユーザーが書き換えに失敗した場合でも、再び電源を入れればフラッシュメモリ５９内に書き込んであるＢＭプログラムは損傷ないため、問題なく立ち上がる。
【００６１】
また書き換えに失敗してスクリ−ンセーバデータが壊れていても他の機能に影響はなく、電源オン時、或いはＢＭの起動時かスクリーンセーバ表示時などに自動的にチェックを行ない、画面にエラーメッセージが表示される様にしておけば、ユーザーは書き換えがうまくいってない事が把握できるので、もう一度、スクリ−ンセーバデータの書き換えを行なうことで対応できる。
【００６２】
先の図では、ＢＭプログラムの最後尾を消去単位ブロックの途中に配置し、スクリーンセーバデータの先頭を消去単位の境い目と一致させた図になっているが、ＢＭプログラムの最後尾が消去単位の境い目と一致して配置されていてもいいし、ＢＭプログラムの記述内容と整合がとれれば、スクリーンセーバデータの先頭をＢＭプログラムが存在しない消去単位ブロックの途中から配置してもいい。また、スクリーンセーバデータが短いため、データの最後尾が最後の消去単位ブロックまで到達してなくてもいいし、最後尾がちょうど境い目にあっても消去単位ブロックの途中にあっても何ら問題ない。
【００６３】
図の中のフラッシュメモリのアドレスは、便宜上１ＦＦＦＦＦｈと付けてあるが、特にこの値に限定するものではなく、それぞれの事情に合わせて、もっと大きいフラッシュメモリを使用してもいいし、もっと小さい容量のフラッシュメモリを使用しても何ら問題ない。
【００６４】
ここで、ユーザーが用意したスクリーンセーバデータをフラッシュメモリへ書き込む場合、ファイルの形式や中身やサイズ等が問題なく使えるデータかどうかをソフトウエア（ＢＭプログラム）の方でチェックし、使えない場合には、その旨、ユーザーに伝えるような仕組みを備えている事が望ましい。
【００６５】
ユーザーが用意するデータは、パーソナルコンピュータ（ＰＣ）などで扱える様なファイル名をつけた一般的な動画ファイルや静止画ファイルが望ましく、このままのファイル形式で使うかフラッシュメモリに書き込む際にＢＭプログラムの方で必要な形に変換する事が望ましいが、変換しない場合にはＢＭプログラムからの最終的な呼び出し形式に合わせる必要がある。
【００６６】
図８はフラッシュメモリ５９の容量が少ない場合に、出荷時に書き込まれているＢＭプログラムとスクリーンセーバデータでフラッシュメモリ５９はほとんど一杯になるため、ユーザーが別のスクリーンセーバデータを書き込む場合には、最初に書き込んであるスクリーンセーバデータを消して書き換える(上書きする)必要がある。
【００６７】
図９の場合は、一方、フラッシュメモリ５９の容量が大きい場合であり、この場合は、出荷時に書き込まれているＢＭプログラムとスクリーンセーバデータの書き込まれている領域以外に、まだ書き込める領域が十分にあるので、ユーザーが別のスクリーンセーバデータを書き込む場合には、出荷時に書き込んであるスクリーンセーバデータは残したまま、他の領域にユーザーの用意したスクリーンセーバデータを書き込む方法でもいい。この場合には出荷時に書き込んだスクリーンセーバデータを消去する必要がないため、ＢＭプログラムと出荷時に書き込んだスクリーンセーバデータの境い目は任意の場所に配置してよく、同一の消去ブロックに混在してもかまわない。ただし、出荷時に書き込んだスクリーンセーバデータの最後尾とユーザーが用意したスクリーンセーバデータの先頭は、同一の消去単位ブロックにならない様に配置する。
【００６８】
また図１０に示すように、また、図１０に示すように、プログラムが、異なる領域に分散されていても、本発明の基本的考え方が適用できることは勿論である。
【００６９】
また、フラッシュメモリ５９の容量が大きい場合は、最初に書き込んであるスクリーンセーバのデータは残したまま、他の領域にユーザーの用意したスクリーンセーバデータを書き込めるが、図１１の様に複数のスクリーンセーバデータを、空いているブロックに順次書き込んでいけば、複数のスクリーンセーバデータを持つことができる。
【００７０】
先の図９や図１１の様な場合には、出荷時のスクリーンセーバデータの位置(アドレス)と、ユーザーが書き込んだスクリーンセーバデータの位置(アドレス)が異なるため、ＢＭプロブラムの方でユーザーが書き込んだスクリーンセーバーデータの有無を判別し、ユーザーが書き込んだスクリーンセーバデータがある場合には、ユーザーのスクリーンセーバの方を優先して表示する様にすれば自動的に表示できる。特に自動判別する必要がなければ、メニュー画面等でユーザーがどのスクリーンセーバにするか設定する様にしてもいいし、乱数等でどれかを適当に選択して表示したりしてもよい。
【００７１】
この発明は上記の実施の形態に限るものではない。先の説明では、ユーザーの用意したスクリーンセーバに置き換える例について示したが、ブリッジメディア画面の背景画に、ユーザーの用意した画像を使える様にしたも同様な考え方を適用できる。ユーザーの用意した画像ファイルを既存の書き込み内容と同一の消去ブロックにならない場所に書き込む様にしたので、ＢＭプログラムを消去せずに、ユーザーの用意した背景画の画像データを書き込むことができる。この画像ファイルを背景画に指定すれば、ユーザーの用意した背景画を使うことができる。
【００７２】
先の図８、図９においてもスクリーンセーバデータの所を背景画の画像データに読み替えれば、容量の小さいフラッシュＲＯＭにおける実施例となる。また、図１１のような領域を利用して、ユーザーの用意したスクリーンセーバデータとユーザーの用意したＢＭの背景画を使える様にしてもよい。出荷時の書き込み内容と、ユーザーの用意したスクリーンセーバデータとユーザーの用意した背景画用ファイルが、それぞれ別の消去ブロックに位置する様に記録してもよい。この様にすることにより、出荷時の書き込み内容を消去せずに、ユーザーの用意したスクリーンセーバやＢＭの背景画像を使える様になる。
【００７３】
これら実施例では、スクリーンセーバーやＢＭの背景画について実施例を示したが、特にこれらに限定するわけではなく、これ以外でも本提案の手法により、ユーザーが用意した素材を使う事ができるのはいうまでもない。
【００７４】
また、出荷時に書き込むＢＭプログラムとスクリーンセーバや背景画の画像データは、別々の消去ブロックになる様に配置して書き込んであっても、もちろんかまわないし、その場合には、出荷時に書き込んだデータの所もユーザーのほうで書き換え可能になる。
【００７５】
本発明は、映像表示処理装置について説明したが、これに限らず、専用の記録再生装置に内蔵されているメモリに対する背景画像或いはスクリーンセーバデータの書き換え処理にも適用できる。
【００７６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７７】
【図１】この発明が適用されたデジタルテレビジョン放送受信装置の使用状態を簡略化して示す説明図である。
【図２】デジタルテレビジョン放送受信装置の外観を示す図である。
【図３】この発明が適用されたデジタルテレビジョン放送受信装置の概要を説明するために示した図である。
【図４】図２のデジタルテレビジョン放送受信装置の信号処理系統さらに具体的に示す構成説明図である。
【図５】この発明の装置で使用されるリモートコントローラの概略を説明するために示した説明図である。
【図６】この発明の特徴部を取り出して示すブロック図である。
【図７】図６の装置の動作例を説明するために示したフローチャートである。
【図８】不揮発性メモリ５９へのデータ書き込み領域の割り当て例を示す説明図である。
【図９】不揮発性メモリ５９へのデータ書き込み領域の割り当て例を示す説明図である。
【図１０】不揮発性メモリ５９へのデータ書き込み領域の割り当ての他の例を示す説明図である。
【図１１】不揮発性メモリ５９へのデータ書き込み領域の割り当てのさらに他の例を示す説明図である。
【符号の説明】
【００７８】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ、９９…ルーター。
【図１】
2007013688.tif 000003
【図２】
2007013688.tif 000004
【図３】
2007013688.tif 000005
【図４】
2007013688.tif 000006
【図５】
2007013688.tif 000007
【図６】
2007013688.tif 000008
【図７】
2007013688.tif 000009
【図８】
2007013688.tif 000010
【図９】
2007013688.tif 000011
【図１０】
2007013688.tif 000012
【図１１】
2007013688.tif 000013